(57)【特許請求の範囲】
【請求項１】
吸気口および温風吹き出し口が形成され、かつ少なくとも前記吸気口が下向きに開口するようにして浴室の上部に取り付けられる通気用のパネル部材と、
前記吸気口から吸入された空気を加熱する加熱手段と、
この加熱手段により加熱された空気を前記温風吹き出し口から吹き出させる送風機と、
前記パネル部材またはその周辺部に取り付けられ、かつミストを斜め下方に向けて噴出可能なミストノズルと、
を備えている、ミスト発生機能付き浴室暖房装置であって、
前記吸気口は、前記ミストノズルを通過する鉛直線を挟んでミスト噴出方向とは反対側の領域に配されて、前記ミストの進行領域の上方を避けるように設けられており、
前記温風吹き出し口は、前記吸気口と水平方向に間隔を隔てて並んだ下向き開口状に設けられているとともに、この温風吹き出し口から浴室に吹き出される空気の向きを変更可能なルーバを備えており、
前記ミストノズルは、前記温風吹き出し口と前記吸気口との間に設けられて、前記温風吹き出し口の下方をミストが通過するように構成されていることを特徴とする、ミスト発生機能付き浴室暖房装置。
【請求項２】
前記加熱手段および前記送風機を内部に収容しており、かつ前記パネル部材の上方に位置するようにして浴室の天井部に取り付けられるケーシングと、
前記ミストノズルに湯水を供給するための配管と、
この配管に設けられ、かつ前記ミストノズルに対する湯水の供給のオン・オフを制御するためのミスト用制御弁と、を備えており、
前記加熱手段は、前記吸気口の上方に位置して、前記パネル部材との間に第１の空間部を形成するとともに、前記ケーシングの側壁部との間には第２の空間部を形成しており、
前記ミスト用制御弁は、前記第２の空間部に配されているとともに、前記配管のうち、前記ミストノズルと前記ミスト用制御弁とを接続する部分は、前記第１の空間部に配されている、請求項１に記載のミスト発生機能付き浴室暖房装置。
【請求項３】
前記加熱手段によって加熱された空気を前記送風機から前記温風吹き出し口に導く送風路を形成する送風路形成部材を備えており、
この送風路形成部材は、前記パネル部材に下端部が当接し、かつ前記送風機と前記パネル部材との間隔に応じて昇降可能な可動部材を含んでおり、
前記ミストノズルは、前記可動部材または前記可動部材に伴って昇降する部材に取り付けられている、請求項１または２に記載のミスト発生機能付き浴室暖房装置。
【請求項４】
浴室の上部に設置された浴室暖房装置を備えている、浴室システムであって、
前記浴室暖房装置として、請求項１ないし３のいずれかに記載のミスト発生機能付き浴室暖房装置が用いられていることを特徴とする、浴室システム。
【発明の詳細な説明】
【技術分野】
【０００１】
本発明は、湯水を霧状に噴出させる機能を備えたミスト発生機能付き浴室暖房装置および浴室システムに関する。
【背景技術】
【０００２】
従来、浴室暖房装置とミスト発生装置とが組み合わされた浴室システムとして、特許文献１に記載されたものがある。この浴室システムは、浴室の天井部に浴室暖房装置が設けられているとともに、この浴室暖房装置の下方またはその近傍部分にミストノズルが設けられており、このミストノズルから噴出されたミストは、浴室暖房装置の吸気口および温風吹き出し口の下方を通過して浴室内の所望領域に進行するように構成されている。
【０００３】
前記した浴室システムによれば、浴室暖房装置を利用して浴室内の暖房（浴室での洗濯物の乾燥も含む）が実行可能であることに加え、ミスト噴出によるサウナ効果、暖房効果、あるいはシャワー効果なども得られる。また、ミストノズルから浴室内の洗い場に向けてミストを噴出させている際に、浴室暖房装置の温風吹き出し口から温風を下向きに吹き出させれば、前記ミストが高い位置に飛散することが抑制され、洗い場にいる入浴者の顔や頭にミストがかからないようにすることもできる。
【０００４】
しかしながら、前記従来技術においては、次に述べるように、未だ改善すべき点があった。
【０００５】
すなわち、前記従来技術において、ミストノズルから噴出されるミストは、浴室暖房装置の吸気口の下方を通過するようになっている。このため、ミストが前記吸気口に吸い込まれて、その周辺部に多くの水滴が発生して付着する現象を生じ易くなっていた。このような現象を生じたのでは、その後に前記水滴が滴下することとなって、これが入浴者に当たり、入浴者に不快感を与える虞れがある。
【０００６】
なお、従来においては、前記従来技術とは相違するものとして、特許文献２に記載されたミスト発生機能付き浴室暖房装置もある。この装置は、たとえば壁掛け型の浴室暖房装置の下方にミスト発生装置が設けられた構成を有しており、ミストノズルから噴出されたミストは、吸気口の下方を通過する前に温風吹き出し口の下方を通過するようになっている。このため、温風吹き出し口から吹き出される温風によって、ミストは下向きに進行することとなって、吸気口へのミストの進入が抑制される。しかしながら、このような構成においても、ミストは吸気口の下方領域を通過するために、このミストの一部が吸気口に吸い込まれてこの吸気口周辺部に水滴を生じさせる虞れがある。したがって、そのような虞れがより徹底して防止されることが望まれる。
【０００７】
【特許文献１】特開２００２−３３６３２７号公報
【特許文献２】特開２００５−２８２９４５号公報
【発明の開示】
【発明が解決しようとする課題】
【０００８】
本発明は、このような事情のもとで考え出されたものであって、ミストノズルから噴出されるミストが浴室暖房装置の吸気口に吸い込まれて多くの水滴となる現象を簡易な構成によって、適切に防止または抑制することが可能なミスト発生機能付き浴室暖房装置、および浴室システムを提供することを、その課題としている。
【課題を解決するための手段】
【０００９】
上記の課題を解決するため、本発明では、次の技術的手段を講じている。
【００１４】
本発明の第１の側面により提供されるミスト発生機能付き浴室暖房装置は、吸気口および温風吹き出し口が形成され、かつ少なくとも前記吸気口が下向きに開口するようにして浴室の上部に取り付けられる通気用のパネル部材と、前記吸気口から吸入された空気を加熱する加熱手段と、この加熱手段により加熱された空気を前記温風吹き出し口から吹き出させる送風機と、前記パネル部材またはその周辺部に取り付けられ、かつミストを斜め下方に向けて噴出可能なミストノズルと、を備えている、ミスト発生機能付き浴室暖房装置であって、前記吸気口は、前記ミストノズルを通過する鉛直線を挟んでミスト噴出方向とは反対側の領域に配されて、前記ミストの進行領域の上方を避けるように設けられており、前記温風吹き出し口は、前記吸気口と水平方向に間隔を隔てて並んだ下向き開口状に設けられているとともに、この温風吹き出し口から浴室に吹き出される空気の向きを変更可能なルーバを備えており、前記ミストノズルは、前記温風吹き出し口と前記吸気口との間に設けられて、前記温風吹き出し口の下方をミストが通過するように構成されていることを特徴としている。
【００１５】
このような構成によれば、ミストノズルから噴出されたミストが吸気口の下方を通過することがないために、前記ミストが吸気口に吸引されてその周辺部に多くの水滴を生じないようにする効果が得られる。また、ミストノズルからミストを噴出させている際に、温風吹き出し口から浴室に空気を吹き出すことにより、前記ミストの進行方向を制御することが可能となる。
【００１８】
本発明の好ましい実施の形態においては、前記加熱手段および前記送風機を内部に収容しており、かつ前記パネル部材の上方に位置するようにして浴室の天井部に取り付けられるケーシングと、前記ミストノズルに湯水を供給するための配管と、この配管に設けられ、かつ前記ミストノズルに対する湯水の供給のオン・オフを制御するためのミスト用制御弁と、を備えており、前記加熱手段は、前記吸気口の上方に位置して、前記パネル部材との間に第１の空間部を形成するとともに、前記ケーシングの側壁部との間には第２の空間部を形成しており、前記ミスト用制御弁は、前記第２の空間部に配されているとともに、前記配管のうち、前記ミストノズルと前記ミスト用制御弁とを接続する部分は、前記第１の空間部に配されている。
【００１９】
このような構成によれば、ミスト用制御弁を利用してミストノズルからのミスト噴出のオン・オフ切替えを適切に行なうことができることは勿論のこと、このミスト用制御弁については、ケーシングの側壁部と加熱手段との間に形成された第２の空間部を利用して前記ケーシング内にスペース効率良く収容させることができる。ミスト用制御弁をミストノズルに接近させることもできるために、ミスト噴出のオン・オフの応答性もよい。また、前記配管のうち、ミスト用制御弁とミストノズルとを接続する部分についても、加熱手段の下方の第１の空間部を利用してスペース効率良く配されており、装置全体の大型化を抑制するのに好適となる。
【００２０】
本発明の好ましい実施の形態においては、前記加熱手段によって加熱された空気を前記送風機から前記温風吹き出し口に導く送風路を形成する送風路形成部材を備えており、この送風路形成部材は、前記パネル部材に下端部が当接し、かつ前記送風機と前記パネル部材との間隔に応じて昇降可能な可動部材を含んでおり、前記ミストノズルは、前記可動部材または前記可動部材に伴って昇降する部材に取り付けられている。
【００２１】
このような構成によれば、浴室暖房装置が取り付けられる浴室の天井部の厚みが変更されるなどの理由により、送風機とパネル部材との間隔が変更される場合であっても、送風路形成部材の可動部材を昇降させてその下端部をパネル部材に対して隙間の生じないように当接させることが可能となり、送風機から温風吹き出し口に加熱空気を導くための送風路が適切に形成される。そして、ミストノズルは、このような可動部材を利用してその取り付けが図られているために、パネル部材に対するミストノズルの相対的な高さを一定にすることができる。また、たとえばパネル部材にミストノズル用のブラケットを設けるような必要もなくなるため、その見栄えなども良好にすることができる。
【００２２】
本発明の第２の側面により提供される浴室システムは、浴室の上部に設置された浴室暖房装置を備えている、浴室システムであって、前記浴室暖房装置として、本発明の第１の側面により提供されるミスト発生機能付き浴室暖房装置が用いられていることを特徴としている。
本発明のその他の特徴および利点は、添付図面を参照して以下に行なう発明の実施の形態の説明から、より明らかになるであろう。
【発明を実施するための最良の形態】
【００２３】
以下、本発明の好ましい実施の形態を、図面を参照して具体的に説明する。
【００２４】
図１〜図４は、本発明が適用されたミスト発生機能付き浴室暖房装置および浴室システムの一例を示している。図１によく表われているように、本実施形態の浴室システムＡは、浴室９内に浴槽９０および洗い場９１が設けられたたとえばユニットバスシステムであり、この浴室９の天井部９２のうち、浴槽９０の上方には、ミスト発生機能付き浴室暖房装置Ｂ（以下、「浴室暖房装置Ｂ」と略する）が取り付けられている。
【００２５】
図２によく表われているように、浴室暖房装置Ｂは、通気用のパネル１、加熱手段の一例に相当する熱交換器２、送風機３、ケーシング４、および一対のミストノズル５を具備している。
【００２６】
通気用のパネル１は、樹脂製であり、複数に区分された吸気口１０を形成する吸気グリル部１０Ａ、および温風吹き出し口１１を有している。吸気口１０は、図３に表われているように、たとえば細長矩形状の複数の吸気口の集合部として形成されている。温風吹き出し口１１は、吸気口１０に対して間隔を隔てて並んだたとえば矩形状である。図２に示すように、この通気用のパネル１は、外周縁の上端が浴室９の天井部９２の下面に当接するようにして取り付けられ、天井部９２に形成された開口部９２ａを塞いでいる。
【００２７】
ケーシング４は、たとえばパネル１と同様な材質の樹脂製であり、底部が開口したボックス状である。このケーシング４は、熱交換器２や送風機３などを内部に収容して支持するためのものであり、その底部開口部が天井部９２の開口部９２ａと連通し、または一致するようにして天井部９２に固定して取り付けられている。図面においては、ケーシング４の下端外周縁に形成されたフランジ４０が天井部９２上に載置されているが、ケーシング４の取り付け方式はこれに限らない。たとえば、ケーシング４を天井部９２の開口部９２に対して下方から進入させる後付け方式の場合には、フランジ４０を天井部９２の下面に当接させるようにして取り付けられる。
【００２８】
ケーシング４の側壁部４１ａには、換気扇ユニット８を接続するための開口部４２が形成されている。換気扇ユニット８は、浴室９に換気扇が別途設けられていない場合など、必要に応じてケーシング４に取り付けられる。この換気扇ユニット８は、モータＭにより駆動される換気扇としての送風機８０、この送風機８０を収容して支持するケーシング８１、および送風機８０の排気側に接続された排気用ダクト８２を有している。送風機８０を駆動させると、浴室９内の空気が吸気口１０からケーシング４，８１内に進入し、排気用ダクト８２から屋外に排気される。換気扇ユニット８をケーシング４に取り付けない場合は、開口部４２を適当な蓋材により閉塞させておく。
【００２９】
熱交換器２は、加熱された湯水が供給されて内部を流通するフィン付パイプを用いて構成されており、吸気口１０の上方に位置している。この熱交換器２は、互いに配管接続された上下２つのブロック２０ａ，２０ｂに区分されていることにより、送風機３の比較的大きな開口面積の吸入口３０の全域をスペース効率良くカバーするように設けられている。送風機３の吸入口３０は、上下のカバー体３１，３２により形成されている。送風機３は、モータ駆動自在であり、この送風機３が駆動すると、浴室９内の空気が吸気口１０の上方に吸引された後に熱交換器２の複数のフィン間およびパイプ間を通過して加熱され、その後送風路３３を経由して温風吹き出し口１１から浴室９に吹き出されるようになっている。
【００３０】
送風路３３は、送風機３の下側のカバー体３２の筒状部３２ａと、この筒状部３２ａの下部に対してスライド昇降可能に嵌合された可動部材３４とを用いて形成されている。たとえば天井部９２の厚みｔが変更された場合には、ケーシング４とパネル１との間隔も変更される。すると、送風機３から温風吹き出し口１１までの送風路３３の実質長さが変化する。可動部材３４はそのようなことに対処するためのものであり、ケーシング４とパネル１との間隔が多少変更された場合であっても、この可動部材３４を昇降させてその下端部をパネル１の上面に当接させることによって、それらの部分に送風漏れの原因となる隙間を生じないようにすることが可能である。ただし、浴室暖房装置Ｂの設置状態においては、好ましくはこの可動部材３４が不用意にがたつきを生じないように、たとえばパネル１の下方側からボルトなどのネジ体（図示略）を挿通してパネル１との固定が図られている。
【００３１】
可動部材３４の内部には、温風吹き出し方向を変更可能とするルーバ３６が設けられている。このルーバ３６は、図示されていないモータの駆動により、軸３６ａを中心として回転し、その角度が変更自在である。図４によく表われているように、可動部材３４の両側面部には、溝部３４０を有するガイド３４ａが設けられている。これに対し、カバー体３２には、溝部３４０に嵌入してガイド３４ａの上端部に係合可能なフック状の係合部３５ａを有するガイド３５が設けられている。このような構成によれば、係合部３５ａをガイド３４ａの上端部に係合させることによって、可動部材３４がそれよりも低い高さに下降することが阻止される。したがって、この浴室暖房装置Ｂを設置する前の取り扱い時などにおいて、可動部材３４がカバー体３２から不用意に抜け外れることが適切に防止される。
【００３２】
一対のミストノズル５は、供給される湯水を霧状に噴霧する機能を備えたものであり、可動部材３４の下端部に形成されたフランジ３４ｂに取り付けられている。各ミストノズル５の給湯口となる配管接続口５９が設けられた上部は、フランジ３４ｂの上面側に位置している。これに対し、各ミストノズル５の下端先端部は、図２に示すように、フランジ３４ｂの下面よりも下方に突出し、かつパネル１に設けられた貫通孔１２に進入していることにより、パネル１の下方へのミストの噴出が可能に設けられている。ただし、各ミストノズル５は、吸気口１０と温風吹き出し口１１との間に位置している。ミストの噴出方向は、ミストノズル５を通過する鉛直線ＶＬよりも温風吹き出し口１１寄りに偏った斜め下方となっている。図１に示すように、この浴室暖房装置Ｂは、浴室９の洗い場９１に向けてミストを噴出するように設定されている。温風吹き出し口１１は、各ミストノズル５よりも洗い場９１寄りに位置している。吸気口１０は、各ミストノズル５よりも洗い場９１とは反対側に位置している。
【００３３】
図２および図４に示すように、一対のミストノズル５には、配管５１ａ、一対のミスト用制御弁５０、および一対の配管５１ｂを介して湯水が供給されるように構成されている。また、配管５１ａには、排水用（パージ用）の配管５１ｃも接続されている。より具体的には、熱交換器２とケーシング４の側壁部４１ｂとの間には、空間部４９が形成されており、この空間部４９にミスト用制御弁５０、および配管５１ａ，５１ｃが設けられている。空間部４９は、本発明でいう第２の空間部の一例に相当する。ミスト用制御弁５０は、たとえば電磁式の開閉弁であり、配管５１ａ〜５１ｃは、たとえば銅管などの金属製管体である。図面には表われていないが、配管５１ａ，５１ｃは、上端部がケーシング４の上部に固定されて吊り下げられた状態にあり、各ミスト用制御弁５０はこれらの配管５１ａ，５１ｃに接続されていることにより支持されている。配管５１ａの上部には、後述する熱交換器６０から湯水が供給され、この湯水が各ミスト用制御弁５０および配管５１ｂを経て各ミストノズル５に到達し、噴霧されるようになっている。配管５１ｃを利用した排水については後述する。
【００３４】
熱交換器２とパネル１との間には、空間部４８が形成されており、配管５１ｂは、この空間部４８に配されて、ミスト用制御弁５０とミストノズル５とを接続している。空間部４８は、本発明でいう第１の空間部の一例に相当する。配管５１ｂの両端部は、ミスト用制御弁５０およびミストノズル５に対して回転継手５２ａ，５２ｂを介して連結されている。このことにより、回転継手５２ａを中心として配管５１ｂを揺動させながら、ミストノズル５および可動部材３４を昇降させることが可能である。可動部材３４の昇降動作は直線的であるのに対し、ミストノズル５の昇降動作は基本的には回転継手５２ａを中心とする円弧動であり、本来的には両者の動作は一致しない。ただし、可動部材３４を昇降させようとした場合、配管５１ｂがミスト用制御弁５０を水平方向に押圧し、または引っ張る力が発生して配管５１ａ，５１ｃに撓みを生じ、ミスト用制御弁５０および回転継手５２ａの位置が変位する。この変位が配管５１ｂの揺動動作の遊びとなり、可動部材３４はミストノズル５とともに円滑に昇降する。
【００３５】
ケーシング４の上部には、補助ケーシング４７が設けられており、この部分には熱交換器２およびミストノズル５に対して湯水を供給するための配管ユニット部６が設けられている。この配管ユニット部６は、たとえばプレート式の熱交換器６０、入水口６１ａ、排水口６１ｂ、浴室外部に設けられた給湯器などの熱源機（図示略）に配管接続される湯水用の供給口６２ａ、および排出口６２ｂを備えている。前記熱源機から供給口６２ａに送られてきた湯水は、配管６３ａを介して熱交換器２に送られた後に配管６３ｂを介して排出口６２ｂに到達し、前記熱源機に戻される。また、供給口６２ａに送られてきた湯水は、熱交換器６０にも送られ、この熱交換器６０用の熱媒体としても利用されるようになっている。入水口６１ａにはたとえば非加熱の水道水が供給され、この水は配管６３ｃを介して熱交換器６０に送られて加熱されてから、配管６３ｄを介して配管５１ａに供給されてミストノズル５に導かれる。排水口６１ｂに繋った配管６３ｅは、配管５１ｃに接続されており、配管６３ｅに設けられている開閉弁を開状態とすることにより、熱交換器６０および配管６３ｄ，５１ａ内の水を配管５１ｃ，６３ｅを介して外部にパージ処理することが可能である。
【００３６】
図４に示すように、可動部材３４のフランジ３４ｂには、回路基板７が一対のミストノズル５間に位置するようにして取り付けられる。回路基板７の下面部には、この浴室暖房装置Ｂの運転を制御するために別途準備されているワイヤレスリモコン（図示略）からの送出信号を受信するための受信部７１や、この浴室暖房装置Ｂの運転状況を示すための複数の表示ランプ７２が搭載されている。可動部材３４のフランジ３４ｂには、それら受信部７１や複数の表示ランプ７２の下面側が遮蔽されないように、それらを一括して下方に露出させるための貫通孔３４ｃが形成されている。図３に示すように、パネル１には、受信部７１および複数の表示ランプ７２を個々に下向きに露出させるための複数の貫通孔１３ａ，１３ｂが設けられている。好ましくは、回路基板７には、前記した部品に加えて、ＩＣチップやその他の電子部品が搭載され、これらによって制御部７０が構成されている。この制御部７０は、たとえば送風機３の回転数制御、ミスト用制御弁５０やその他の弁の開閉制御など、前記ワイヤレスリモコンからの指令信号に基づいて浴室暖房装置Ｂの各部の動作制御や信号処理を実行するものである。ただし、このような制御部７０を回路基板７とは別の基板を利用して構成し、可動部材３４以外の箇所に取り付けた構成とすることもできる。
【００３７】
次に、前記した浴室暖房装置Ｂおよび浴室システムＡの作用について説明する。
【００３８】
まず、一対のミスト用制御弁５０を開状態にすると、一対のミストノズル５に湯水が供給され、これらから浴室９の洗い場９１に向けて斜め下方にミストが噴出する。これにより、ミストサウナ効果などが得られる。吸気口１０は、各ミストノズル５に対して洗い場９１側とは反対側に位置しており、ミストはこの吸気口１０の下方を進行しない。したがって、ミストが吸気口１０に吸入される虞れは少ない。その結果、吸気グリル部１０Ａに多くの水滴が付着してこの水滴がその後浴槽９０内の入浴者上に滴下する不具合は適切に抑制される。また、ミストは温風吹き出し口１１の下方を通過するために、温風吹き出し口１１から温風を吹き出させ、かつその向きをルーバ３６を利用して調整すれば、前記ミストの進行方向を温風送風により調整し、たとえば入浴者の顔面や頭にミストが直接当たらないようにすることもできる。一対のミスト用制御弁５０は、個別に開閉制御可能である。このため、ミストの噴出モードとして、一対のミストノズル５の双方からミストを噴出させる多量ミストモードと、いずれか一方のみからミストを噴出させる少量ミストモードとを切り替え設定することもできる。
【００３９】
一対のミストノズル５を吸気口１０と温風吹き出し口１１との間に配置させるための手段として、それら一対のミストノズル５は可動部材３４のフランジ３４ｂに取り付けられている。したがって、たとえば通気用のパネル１の下面部にミストノズル５用のブラケット部を設けるといった手間は不要となる。また、ミストノズル５に加えて、回路基板７も可動部材３４のフランジ３４ｂに取り付けているため、回路基板７用のブラケット部を別途設ける必要もなく、構成の簡素化が促進される。さらに、回路基板７は、一対のミストノズル５どうしの間に配置されているために、一対のミストノズル５の間隔を適度に大きくしつつ、それらの間の領域が回路基板７の取り付けに有効に利用されており、これらの部分の大型化を抑制することができる。
【００４０】
通気用のパネル１には、複数の貫通孔１２，１３，１３ａが設けられていることによって、ミストノズル５、受信部７１、および複数の表示ランプ７２のそれぞれが露出しているが、このような構成によれば、パネル１の構造が簡素となって製作が容易となり、見栄えも良好となる。さらに、そのような構成のパネル１は、ミスト発生機能を具備しないタイプの浴室暖房装置用のパネルとしても利用し得ることとなる。すなわち、たとえばパネル１の下面部に貫通孔１２（必要に応じて貫通孔１３ａ，１３ｂも）を覆い隠すラベルやその他の目隠し部材を貼付すれば、そのような貫通孔を有しない通気用のパネル部として好適に利用することが可能であり、１種類のパネルをミスト発生機能付きのものとそうでないものとの双方に兼用できる利点も得られる。
【００４１】
ミスト用制御弁５０および配管５１ａ〜５１ｃは、空間部４８，４９を利用してスペース効率良く設けられている。このため、ケーシング４、ひいては浴室暖房装置Ｂの全体の大型化を抑制するのに好適となる。また、配管５１ｂの両端部には、既述したとおり、回転継手５２ａ，５２ｂが設けられ、回転継手５２ａを中心として配管５１ｂが上下方向に揺動することによって可動部材３４の昇降が許容される構成とされているために、配管５１ｂを銅管などの金属製管体とすることが可能であり、耐圧強度に優れたものとすることができる。可動部材３４の昇降動作を許容するための他の手段としては、たとえば配管５１ｂをフレキシブルチューブとすることが考えられる。ただし、このような手段によれば、耐圧性を高める上で苦慮することとなる。これに対し、本実施形態によれば、そのような不具合を無くすことができる。
【００４２】
本発明は、上述した実施形態に限定されない。本発明に係るミスト発生機能付き浴室暖房装置、および浴室システムの各部の具体的な構成は、種々に設計変更自在である。
【００４３】
たとえば、加熱手段としては、湯水を利用した熱交換器に代えて、電気式の発熱ヒータなどの他の手段を用いることができる。送風機の具体的な種類も問わない。通気用のパネルの温風吹き出し口は、必ずしも吸気口と同様に下向き開口状でなくてもよく、たとえば通気用のパネルを上下方向の厚みが比較的大きな箱型状として、その側面部に温風吹き出し口が略水平方向を向くように形成された構成としてもかまわない。本発明に係るミスト発生機能付き浴室暖房装置は、天井設置型として構成するのに好適であるが、これとは別のたとえば壁掛け型のものとして構成することもできる。
【００４４】
ミストノズルは、少なくとも１つあればよく、その具体的な数も問わない。また、ミストノズルは、固定式でなくてもよく、たとえばミストの噴出方向を変更できるように向きの調整が可能な方式、あるいはモータなどを駆動源として所定の角度範囲で首振り揺動する方式にすることもできる。このような方式が採用される場合であっても、吸気口がミストノズルを通過する鉛直軸を挟んでミスト噴出方向とは反対側の領域に配置されて、ミストが吸気口の直下を進行しない構成とされていれば、本発明の技術的範囲に包摂される。
【００４５】
本発明に係る浴室システムは、ユニットバスシステムに限らない。また、浴室暖房装置は、あえて浴槽の上方から外れた位置に取り付けることも可能であり、同様に、ミストが噴射される領域を洗い場以外の箇所に設定した構成とすることもできる。
【図面の簡単な説明】
【００４６】
【図１】本発明が適用された浴室システムの一例を示す概略断面図である。
【図２】本発明が適用されたミスト発生機能付き浴室暖房装置の一例を示す断面図である。
【図３】図２に示すミスト発生機能付き浴室暖房装置を下方から見た分解斜視図である。
【図４】図２に示すミスト発生機能付き浴室暖房装置の要部分解斜視図である。
【符号の説明】
【００４７】
Ａ    浴室システム
Ｂ    ミスト発生機能付き浴室暖房装置
ＶＬ  鉛直線
１    通気用のパネル(パネル部材)
２    熱交換器（加熱手段）
３    送風機
４    ケーシング
５    ミストノズル
９    浴室
１０    吸気口
１１    温風吹き出し口
３６    ルーバ
４８，４９    空間部
５０    ミスト用制御弁
５１ａ〜５１ｃ    配管
９０    浴槽
９１    洗い場
９２    天井部
【図１】
0004809065.tif 000002
【図２】
0004809065.tif 000003
【図３】
0004809065.tif 000004
【図４】
0004809065.tif 000005